(57)【特許請求の範囲】
【請求項１】
刃板挿入口を有する折れ刃収納部を設け、ホルダに刃板を設けたカッターを支えるカッター受け部を、この折れ刃収納部に対しカッターの挿脱方向に沿って並設するとともにこの刃板挿入口に挿入された刃板を切断し得るように移動可能に支持し、このカッター受け部においては、カッターの刃板をこの折れ刃収納部の刃板挿入口に挿入した際にカッターのホルダの外周部を支える支持面を有する保持口をその刃板挿入口に面して設けたことを特徴とするカッター折れ刃ケース。
【請求項２】
前記カッター受け部は刃板を折って切断する折り曲げ向きへ移動し得ることを特徴とする請求項１に記載のカッター折れ刃ケース。
【請求項３】
前記カッター受け部は前記折れ刃収納部に対し折り曲げ向きへ回動可能に支持されていることを特徴とする請求項２に記載のカッター折れ刃ケース。
【請求項４】
前記カッター受け部は保持口へカッターのホルダを挿脱するための挿脱口を有していることを特徴とする請求項１〜３のうちいずれか一つの請求項に記載のカッター折れ刃ケース。
【発明の詳細な説明】
【技術分野】
【０００１】
本発明は、刃板挿入口に挿入された刃板を切断した際にその刃板の切断片を収納するカッター折れ刃ケースに関するものである。
【背景技術】
【０００２】
従来、下記特許文献１では、カッターナイフのホルダに取り付けた尾栓を刃体折り具として利用している。その刃体折り具においては、スリットから差し込んだ刃体を折り曲げて切断し、切断された刃片を空洞に収容することができる。
【特許文献１】特開２００３−２４５４８２号公報
【発明の開示】
【発明が解決しようとする課題】
【０００３】
上記特許文献１では、カッターナイフを把持して刃体をスリットに差し込んで折り曲げる際にカッターナイフが不安定になり、使い勝手が悪くなるおそれがあった。
この発明は、カッター折れ刃ケースを使用する際に刃板の切断作業を安定させて使い勝手を良くすることを目的としている。
【課題を解決するための手段】
【０００４】
後記実施形態の図面（図１〜６）の符号を援用して本発明を説明する。
請求項１の発明にかかるカッター折れ刃ケース１は、下記のように構成されている。
刃板挿入口８を有する折れ刃収納部２を設け、ホルダ２４に刃板２６を設けたカッター２３を支えるカッター受け部１１を、この折れ刃収納部２に対しカッター２３の挿脱方向Ｘに沿って並設するとともにこの刃板挿入口８に挿入された刃板２６を切断し得るように移動可能に支持している。このカッター受け部１１においては、カッター２３の刃板２６をこの折れ刃収納部２の刃板挿入口８に挿入した際にカッター２３のホルダ２４の外周部を支える支持面１７ａ，１７ｂを有する保持口１７をその刃板挿入口８に面して設けている。
【０００５】
請求項１の発明では、カッター２３をカッター受け部１１で支えながらカッター受け部１１をカッター２３とともに移動させると、刃板挿入口８で刃板２６に切断力が働いて刃板２６が切断され、刃板２６の切断片が折れ刃収納部２に収納されるので、刃板２６の切断作業を安定性良く行うことができる。また、カッター受け部１１でカッター２３を支えた際に刃板２６が折れ刃収納部２の刃板挿入口８に挿入され易くなる。さらに、カッター２３の刃板２６を刃板挿入口８に挿入した状態でカッター２３のホルダ２４をカッター受け部１１の保持口１７で安定性良く支えることができる。
【０００６】
請求項１の発明を前提とする請求項２の発明において、前記カッター受け部１１は刃板２６を折って切断する折り曲げ向きＲへ移動し得る。請求項２の発明では、カッター受け部１１を刃板２６の折り曲げ向きＲへ移動させるので、カッター受け部１１の移動力が刃板２６の切断力として伝わり易くなる。
【０００７】
請求項２の発明を前提とする請求項３の発明において、前記カッター受け部１１は前記折れ刃収納部２に対し折り曲げ向きＲへ回動可能に支持されている。請求項３の発明では、カッター受け部１１の回動により刃板２６が折り曲げ易くなる。
【００１０】
請求項１〜３のうちいずれかの一つの請求項の発明を前提とする請求項４の発明において、前記カッター受け部１１は保持口１７へカッター２３のホルダ２４を挿脱するための挿脱口１６を有している。請求項４の発明では、挿脱口１６により保持口１７に対するホルダ２４の挿脱が行い易くなる。
【００１１】
次に、請求項以外の技術的思想について実施形態の図面の符号を援用して説明する。
請求項１〜４のうちいずれか一つの請求項の発明を前提とする第５の発明において、前記カッター受け部１１は折り曲げ向きＲへの移動を規制する移動規制部１２ａを有している。第５の発明では、移動規制部１２ａによりカッター受け部１１の破損を防止することができる。
【００１２】
請求項１〜４のうちいずれか一つの請求項の発明、または第５の発明を前提とする第６の発明において、前記カッター受け部１１は、前記折れ刃収納部２に対しつながれた可撓板部２０を有し、その可撓板部２０により折れ刃収納部２に対し移動可能に支持されている。第６の発明では、折れ刃収納部２に対するカッター受け部１１の支持構造を簡単にすることができる。
【００１３】
請求項１〜４のうちいずれか一つの請求項の発明、または第５の発明または第６の発明を前提とする第７の発明において、カッター２３の刃板２６を前記折れ刃収納部２の刃板挿入口８に挿入する際にカッター２３のホルダ２４が当接してそのホルダ２４の移動を規制するストッパ部３３を設けている。第７の発明では、ストッパ部３３によりホルダ２４を位置決めして刃板挿入口８からの刃板２６の挿入寸法や刃板２６の切断位置を容易に決めることができる。
【００１４】
請求項１〜４のうちいずれかの一つの請求項の発明、または第５〜８の発明のうちいずれか一つの発明を前提とする第８の発明において、前記刃板２６の厚さ方向の両側の側面２８，２９のうち一方の側面２８には折れ線３２を設け、前記折れ刃収納部２の刃板挿入口８はこの折れ線３２を有する一方の側面２８を支える支持面８ａ，８ｂを有している。第８の発明では、刃板２６が切断し易くなる。
【発明の効果】
【００１５】
本発明は、カッター折れ刃ケース１を使用する際に刃板２６の切断作業を安定させて使い勝手を良くすることができる。
【発明を実施するための最良の形態】
【００１６】
以下、本発明の一実施形態にかかるカッター折れ刃ケースについて図面を参照して説明する。
図１に示すカッター折れ刃ケース１の折れ刃収納部２においては、図２に示すように、下側の底壁部４と外周壁部５とを有する箱部３とこの底壁部４に面する上側の蓋壁部６とを備え、この箱部３と蓋壁部６とで囲まれた収納室７を有している。この外周壁部５の前側には刃板挿入口８を有する口壁部５ａが形成されている。この刃板挿入口８は、底壁部４側の下面８ａと蓋壁部６側の上面８ｂとこの上下両面８ｂ，８ａ間の左右両側面８ｃ，８ｄとにより囲まれ、前後方向Ｘに対し約６０度傾斜して前後方向Ｘで収納室７を開放している。この底壁部４及び蓋壁部６の外側には、口壁部５ａに対する反対側で滑止め凹凸部９が形成されているとともに、この滑止め凹凸部９と口壁部５ａとの間で滑止め機能も有する凹凸状の刃板表示部１０が形成されている。
【００１７】
図１に示すカッター折れ刃ケース１のカッター受け部１１においては、図２に示すように、下壁部１２と上壁部１３とこの上下両壁部１３，１２間の左右両側壁部１４，１５とにより囲まれた挿脱口１６を有し、この挿脱口１６の後側で前記口壁部５ａの刃板挿入口８に面する保持口１７が形成されている。この保持口１７は、下壁部１２側の下面１７ａと上壁部１３側の上面１７ｂとこの上下両面１７ｂ，１７ａ間の左右両側面１７ｃ，１７ｄとにより囲まれ、前後方向Ｘに対し約６０度傾斜して前後方向Ｘで挿脱口１６を刃板挿入口８側へ開放している。この上壁部１３の外側には前記折れ刃収納部２の口壁部５ａ側に向く矢印１８が形成され、左右両側壁部１４，１５の外側には下壁部１２側に向く矢印１９が形成されている。なお、前記保持口１７の開口面積は前記挿脱口１６の開口面積よりも小さく、前記刃板挿入口８の開口面積はこの保持口１７の開口面積よりも小さくなっている。
【００１８】
前記折れ刃収納部２の口壁部５ａとカッター受け部１１の下壁部１２とは可撓板部２０により互いにつながれている。この可撓板部２０は、前記刃板挿入口８及び保持口１７の下方でこの刃板挿入口８及び保持口１７に沿って傾斜して左右方向Ｙへ帯状に延び、上下方向Ｚの可撓性を有している。この折れ刃収納部２とカッター受け部１１とはこの可撓板部２０を介して前後方向Ｘで互いに並び、この折れ刃収納部２の口壁部５ａとカッター受け部１１との間にはこの可撓板部２０の下方で互いに間隙２１を有しているとともにこの可撓板部２０の上方で互いに間隙２２を有している。
【００１９】
ちなみに、前記折れ刃収納部２の箱部３（底壁部４及び外周壁部５）と可撓板部２０とカッター受け部１１とはポリプロピレン樹脂により一体に成形され、同様にポリプロピレン樹脂により成形された前記蓋壁部６が外周壁部５上に対し固着されている。この蓋壁部６を外周壁部５に対し着脱可能に支持してもよく、その場合には折れ刃収納部２から折れ刃を取り出して捨てることができる。この折れ刃収納部２の内側（収納室７や刃板挿入口８等）とカッター受け部１１の内側（挿脱口１６や保持口１７等）とをそれらの外側から視認することができるようにしてもよい。
【００２０】
図３（ａ）や図３（ｂ）に示すカッター２３においては、ホルダ２４に形成された案内溝２５に刃板２６とスライダ２７とが挿入されてその刃板２６の基端部がスライダ２７に対し着脱可能に連結されている。この刃板２６において、厚さ方向の両側の側面２８，２９のうち一方の側面２８には刃縁３０と背縁３１との間で形成された複数の折れ線３２が前後方向Ｘに対し約６０度傾斜して先端部から基端部にわたり等間隔で形成されている。このスライダ２７を刃板２６の各折れ線３２の間隔だけ段階的に移動させることができる。このスライダ２７をホルダ２４の案内溝２５に沿って段階的に移動させると、刃板２６もその案内溝２５に沿って段階的に移動し、ホルダ２４に対し刃板２６を出し入れすることができるとともに、ホルダ２４の頭部２４ａに対する刃板２６の突出寸法を調節することができる。なお、刃板２６の各折れ線３２がホルダ２４の頭部２４ａの先端縁部に合った状態で、刃板２６の突出寸法は各折れ線３２の間隔の整数倍になる。
【００２１】
図１（ａ）、図３（ａ）及び図４（ａ）（ｂ）に示すように、カッター２３を右利き用として利用する場合には、右手に持ったホルダ２４の左側にスライダ２７が位置し、スライダ２７側になる刃板２６の側面２８で各折れ線３２が見える。カッター折れ刃ケース１において折れ刃収納部２の蓋壁部６及びカッター受け部１１の上壁部１３を上方に向けるとともに、カッター２３のスライダ２７を上方に向けた状態で、このカッター２３のホルダ２４の頭部２４ａ側をカッター受け部１１の挿脱口１６からその保持口１７に挿入してホルダ２４の頭部２４ａを刃板挿入口８の外周縁部３３（ストッパ部）に当接させると、ホルダ２４の挿入向きへの移動が規制されてその頭部２４ａの外周部が保持口１７の各面１７ａ，１７ｂ，１７ｃ，１７ｄ（支持面）に面するとともに、その頭部２４ａから突出する刃板２６が刃板挿入口８から折れ刃収納部２内の収納室７に挿入される。なお、保持口１７の下面１７ａと上面１７ｂとの間で挿脱口１６側の端縁部間の上下方向Ｚの間隔は、挿脱口１６側へ向うに従い互いに広がっているため、ホルダ２４の頭部２４ａ側を保持口１７に挿入し易い。折れ刃収納部２の蓋壁部６にある刃板表示部１０は刃板２６の挿入前配置状態を示し、カッター受け部１１の上壁部１３にある矢印１８はホルダ２４の挿入向きを示す。その刃板挿入口８に対する刃板２６の挿入寸法は、ホルダ２４に対しスライダ２７を刃板２６とともに移動させてホルダ２４の頭部２４ａに対する刃板２６の突出寸法を調節することにより変更することができる。この挿入状態では、刃板２６のうち、各折れ線３２を有しない側面２９が刃板挿入口８の下面８ａ（支持面）に面し、各折れ線３２を有する側面２８が刃板挿入口８の上面８ｂ（支持面）に面し、刃縁３０が刃板挿入口８の左面８ｃ（支持面）に面し、背縁３１が刃板挿入口８の右面８ｄ（支持面）に面し、一つの折れ線３２が刃板挿入口８の下面８ａ及び上面８ｂの外縁部に対し同一の傾斜角度（約６０度）で沿う。刃板挿入口８の下面８ａ及び上面８ｂの外縁部と可撓板部２０と刃板２６の折れ線３２とは同じ傾斜角度で傾斜しているので、刃板挿入口８に対する刃板２６の挿入状態でその外縁部に折れ線３２が自ずと揃い、その外縁部に折れ線３２を合わせる操作を必要とせず、使い勝手を良くすることができる。ちなみに、刃板２６の厚みは約０．１〜１ｍｍであって、刃板挿入口８で下面８ａと上面８ｂとの間隔は刃板２６の厚みの約１．２〜５倍になっている。
【００２２】
図４（ｃ）に示すように、前記挿入状態からホルダ２４を下方へ回動させると、ホルダ２４がカッター受け部１１の挿脱口１６及び保持口１７に支えられながら可撓板部２０が撓んでカッター受け部１１も折れ刃収納部２に対し下方へ回動する。カッター受け部１１の左右両側壁部１４，１５にある矢印１９はその回動向き（各折れ線３２を有する側面２８側から各折れ線３２を有しない側面２９側へ回動する折り曲げ向きＲ）を示す。その回動途中で、ホルダ２４から突出する刃板２６のうち、側面２８が刃板挿入口８の上面８ｂの内縁部に支えられるとともに側面２９が刃板挿入口８の下面８ａの外縁部に支えられ、その刃板２６に曲げ応力が働いて刃板２６が折れ線３２で切断される。刃板２６の切断片は折れ刃収納部２に収納される。このカッター受け部１１の下壁部１２の後端角部１２ａ（移動規制部）が間隙２１側へ回動して折れ刃収納部２の外周壁部５の口壁部５ａに当接すると、カッター受け部１１の回動は規制される。
【００２３】
図１（ｂ）、図３（ｂ）及び図５（ａ）（ｂ）に示すように、カッター２３を左利き用として利用する場合、ホルダ２４はカッター２３を右利き用として利用する場合と同様であるが、刃板２６を上下逆にする。そのため、左手に持ったホルダ２４の右側にスライダ２７が位置し、スライダ２７側に対し反対側になる刃板２６の側面２８で各折れ線３２が見える。カッター折れ刃ケース１において折れ刃収納部２の底壁部４及びカッター受け部１１の下壁部１２を上方に向けるとともに、カッター２３のスライダ２７を上方に向けた状態で、このカッター２３のホルダ２４の頭部２４ａ側をカッター受け部１１の挿脱口１６からその保持口１７に挿入してホルダ２４の頭部２４ａを刃板挿入口８の外周縁部３３（ストッパ部）に当接させると、ホルダ２４の移動が規制されてその頭部２４ａの外周部が保持口１７の各面１７ａ，１７ｂ，１７ｃ，１７ｄ（支持面）に面するとともに、その頭部２４ａから突出する刃板２６が刃板挿入口８から折れ刃収納部２内の収納室７に挿入される。折れ刃収納部２の底壁部４にある刃板表示部１０は刃板２６の挿入前配置状態を示す。その刃板挿入口８に対する刃板２６の挿入寸法は、ホルダ２４に対しスライダ２７を刃板２６とともに移動させてホルダ２４の頭部２４ａに対する刃板２６の突出寸法を調節することにより変更することができる。この挿入状態では、刃板２６のうち、各折れ線３２を有する側面２８が刃板挿入口８の上面８ｂ（支持面）に面し、各折れ線３２を有しない側面２９が刃板挿入口８の下面８ａ（支持面）に面し、背縁３１が刃板挿入口８の右面８ｄ（支持面）に面し、刃縁３０が刃板挿入口８の左面８ｃ（支持面）に面し、一つの折れ線３２が刃板挿入口８の下面８ａ及び上面８ｂの外縁部に対し同一の傾斜角度（約６０度）で沿う。
【００２４】
図５（ｃ）に示すように、前記挿入状態からホルダ２４を上方へ回動させると、ホルダ２４がカッター受け部１１の保持口１７に支えられながら可撓板部２０が撓んでカッター受け部１１も折れ刃収納部２に対し上方へ回動する。その際、ホルダ２４がカッター受け部１１の挿脱口１６にも支えられてもよい。カッター受け部１１の左右両側壁部１４，１５にある矢印１９はその回動向き（各折れ線３２を有する側面２８側から各折れ線３２を有しない側面２９側へ回動する折り曲げ向きＲ）を示す。その回動途中で、ホルダ２４から突出する刃板２６のうち、側面２８が刃板挿入口８の上面８ｂの内縁部に支えられるとともに側面２９が刃板挿入口８の下面８ａの外縁部に支えられ、その刃板２６に曲げ応力が働いて刃板２６が折れ線３２で切断される。刃板２６の切断片は折れ刃収納部２に収納される。このカッター受け部１１の下壁部１２の後端角部１２ａ（移動規制部）が間隙２１側へ回動して折れ刃収納部２の外周壁部５の口壁部５ａに当接すると、カッター受け部１１の回動は規制される。
【００２５】
なお、図３（ａ）の状態にあるカッター折れ刃ケース１に対し、図３（ｂ）の状態にあるカッター２３のスライダ２７を下方に向けた状態にすれば、左利き用のカッター２３の刃板２６を切断する際にこのカッター折れ刃ケース１を利用することができる。また、図３（ｂ）の状態にあるカッター折れ刃ケース１に対し、図３（ａ）の状態にあるカッター２３のスライダ２７を下方に向けた状態にすれば、右利き用のカッター２３の刃板２６を切断する際にこのカッター折れ刃ケース１を利用することができる。
【００２６】
要するに、右利き用のカッター２３の場合も左利き用のカッター２３の場合も、前記折れ刃収納部２の蓋壁部６にある刃板表示部１０または前記折れ刃収納部２の底壁部４にある刃板表示部１０に合わせてカッター２３の刃板２６を配置するとともに、前記カッター受け部１１の左右両側壁部１４，１５にある矢印１９の向きへカッター２３を回動させれば、刃板２６を切断することができる。
【００２７】
従って、カッター２３を右利き用として利用する場合や左利き用として利用する場合でも、カッター折れ刃ケース１を使用する際に刃板２６の切断作業を安定させて使い勝手を良くすることができる。
【００２８】
カッター折れ刃ケース１においては片手で持てる寸法が好ましく、例えば前後方向Ｘの寸法が約６０ｍｍで左右方向Ｙの寸法が約２０ｍｍで上下方向Ｚの寸法が約１５ｍｍである。また、前記折れ刃収納部２においては前後方向Ｘの寸法が約４５ｍｍで左右方向Ｙの寸法が約２０ｍｍで上下方向Ｚの寸法が約１５ｍｍであり、カッター受け部１１においては前後方向Ｘの寸法が約２０ｍｍで左右方向Ｙの寸法が約１６ｍｍで上下方向Ｚの寸法が約１０ｍｍであり、折れ刃収納部２の各寸法よりもカッター受け部１１の各寸法が小さくなっている。
【００２９】
前記実施形態以外にも例えば下記のように構成してもよい。
・  図６（ａ）（ｂ）（ｃ）に示すように、前記保持口１７の形状を変更する。
・  前記折れ刃収納部２に対し、カッター受け部１１を上下方向Ｚへ平行移動させたり、カッター受け部１１を回転と平行移動とを組み合わせた方向へ移動させたり、カッター受け部１１を捩じったりすることにより、刃板２６を折り曲げ向きＲへ折って切断するようにしてもよい。
【００３０】
・  カッター受け部１１を間隙２２側へ回動させることにより、刃板２６を折り曲げ向きＲへ折って切断するようにしてもよい。
・  刃板２６の両側面２８，２９のうちいずれかの側面２８，２９に折れ線３２を形成したり両側面２８，２９にそれぞれ折れ線３２を形成したりしてもよく、それらの折れ線３２に合わせてカッター受け部１１を間隙２１側または間隙２２側へ回動させる。
【００３１】
・  前記カッター受け部１１において挿脱口１６を省略してもよい。
・  前記折れ刃収納部２とカッター受け部１１とを互いに分離して形成し、前記可撓板部２０に代えてピンによるヒンジ構造でその折れ刃収納部２とカッター受け部１１とを互いに連結してもよい。
【００３２】
・  前記ストッパ部３３をカッター受け部１１に設けてもよい。
・  カッター折れ刃ケース１をカッター２３のホルダ２４に着脱することができるもの例えば尾栓として利用できるようにその形状を変更してもよい。
【００３３】
・  カッター折れ刃ケース１の全体をカッター２３の刃板２６と同じ材質（例えば金属）で形成してそれらを同時に廃棄できるようにしてもよい。
・  カッター折れ刃ケース１を手で持たずに載置して使用できるようにその形状を変更してもよい。
【００３４】
・  刃板２６をホルダ２４に対し移動できないカッター２３であってもよい。また、刃板の一部をホルダとして利用してもよい。
【図面の簡単な説明】
【００３５】
【図１】（ａ）は本実施形態にかかるカッター折れ刃ケースの表側を示す斜視図であり、（ｂ）は同じくカッター折れ刃ケースの裏側を示す斜視図である。
【図２】（ａ）は上記カッター折れ刃ケースを側面側から見た断面図であり、（ｂ）は上記カッター折れ刃ケースを（ａ）のＡ−Ａ線で切断して平面側から見た断面図であり、（ｃ）は上記カッター折れ刃ケースを（ａ）のＢ−Ｂ線で切断して底面側から見た断面図である。
【図３】（ａ）は右利き用カッターの刃板を切断する際にそのカッターを上記カッター折れ刃ケースに挿入する前の状態を示す平面図であり、（ｂ）は左利き用カッターの刃板を切断する際にそのカッターを上記カッター折れ刃ケースに挿入する前の状態を示す平面図である。
【図４】（ａ）は右利き用カッターを上記カッター折れ刃ケースに挿入した状態を平面側から見た部分断面図であり、（ｂ）は同じく側面側から見た部分断面図であり、（ｃ）は上記カッター折れ刃ケースに挿入した刃板の折り曲げ途中状態を側面側から見た部分断面図である。
【図５】（ａ）は左利き用カッターを上記カッター折れ刃ケースに挿入した状態を平面側から見た部分断面図であり、（ｂ）は同じく側面側から見た部分断面図であり、（ｃ）は上記カッター折れ刃ケースに挿入した刃板の折り曲げ途中状態を側面側から見た部分断面図である。
【図６】（ａ）は本実施形態の別例にかかるカッター折れ刃ケースを側面側から見た断面図であり、（ｂ）は上記カッター折れ刃ケースを（ａ）のＣ−Ｃ線で切断して平面側から見た断面図であり、（ｃ）は本実施形態の別例にかかるカッター折れ刃ケースを（ａ）のＤ−Ｄ線で切断して底面側から見た断面図である。
【符号の説明】
【００３６】
１…カッター折れ刃ケース、２…折れ刃収納部、８…刃板挿入口、１１…カッター受け部、１７…保持口、２３…カッター、２４…ホルダ、２６…刃板、Ｒ…折り曲げ向き、Ｘ…カッターの挿脱方向。
【図１】
0005132219.tif 000002
【図２】
0005132219.tif 000003
【図３】
0005132219.tif 000004
【図４】
0005132219.tif 000005
【図５】
0005132219.tif 000006
【図６】
0005132219.tif 000007